(57)【要約】【課題】レチクルの輝度が限界値であることをユーザに認識させること。【解決手段】望遠鏡は、対象物へ照準を合わせるためのレチクルが表示される表示手段と、連続して繰り返し操作可能であり、レチクルの少なくとも一部の輝度の増加を指示するための増加操作手段と、連続して繰り返し操作可能であり、上記輝度の減少を指示するための減少操作手段と、増加操作手段からの操作信号に応じて上記輝度を増加させ、減少操作手段からの操作信号に応じて上記輝度を減少させる輝度制御手段と、上記輝度が上限値である状態で増加操作手段が操作された場合、および／または、上記輝度が下限値である状態で減少操作手段が操作された場合には、上記輝度が限界値であることを示す情報を表示手段に表示させる表示制御手段と、を備える。【選択図】図３
2013250415.tif 000002
【特許請求の範囲】
【請求項１】
観察されるべき対象物に向けられる少なくとも１つの対物レンズと、
前記対象物へ照準を合わせるためのレチクルが表示される表示手段と、
前記対物レンズからの対象物の像と前記レチクルとを重畳して観察可能である少なくとも１つの接眼レンズと、
連続して繰り返し操作可能であり、前記レチクルの少なくとも一部の輝度の増加を指示するための増加操作手段と、
連続して繰り返し操作可能であり、前記輝度の減少を指示するための減少操作手段と、
前記増加操作手段からの操作信号に応じて前記輝度を増加させ、前記減少操作手段からの操作信号に応じて前記輝度を減少させる輝度制御手段と、
前記輝度が上限値である状態で前記増加操作手段が操作された場合、および／または、前記輝度が下限値である状態で前記減少操作手段が操作された場合には、前記輝度が限界値であることを示す情報を前記表示手段に表示させる表示制御手段と、
を備えることを特徴とする望遠鏡。
【請求項２】
請求項１に記載の望遠鏡において、
前記表示制御手段は、前記増加操作手段が操作されて前記輝度制御手段が前記輝度を増加させている間は、前記輝度を増加させていることを示す情報を前記表示手段に表示させ、前記減少操作手段が操作されて前記輝度制御手段が前記輝度を減少させている間は、前記輝度を減少させていることを示す情報を前記表示手段に表示させることを特徴とする望遠鏡。
【請求項３】
請求項２に記載の望遠鏡において、
前記対物レンズと前記表示手段と前記接眼レンズとが収容される筐体と、
前記筐体に設けられ、前記増加操作手段が設けられた第１側面と、
前記筐体に設けられ、前記減少操作手段が設けられた第２側面と、
をさらに備え、
前記レチクルは、前記望遠鏡の視野の中心に表示され且つ前記輝度制御手段により輝度が増減される中心点と、前記中心を通り前記視野を水平方向に分割する水平線および前記中心を通り前記視野を鉛直方向に分割する鉛直線からなる十字線とから構成され、
前記表示制御手段は、前記増加操作手段が操作されて前記輝度制御手段が前記輝度を増加させている間は、前記輝度を増加させていることを示す増加マークを前記レチクルの鉛直線よりも前記第１側面側に表示させ、前記輝度が上限値である状態で前記増加操作手段が操作された場合には前記増加マークの表示態様を変更することで前記輝度が限界値であることを示し、前記減少操作手段が操作されて前記輝度制御手段が前記輝度を減少させている間は、前記輝度を減少させていることを示す減少マークを前記レチクルの鉛直線よりも前記第２側面側に表示させ、前記輝度が下限値である状態で前記減少操作手段が操作された場合には前記減少マークの表示態様を変更することで前記輝度が限界値であることを示すことを特徴とする望遠鏡。
【請求項４】
請求項３に記載の望遠鏡において、
前記表示態様の変更とは、前記増加マークまたは前記減少マークを、点灯表示状態または点滅表示状態のいずれか一方から他方へ切り替えることであることを特徴とする望遠鏡。
【請求項５】
請求項２に記載の望遠鏡において、
前記対物レンズと前記表示手段と前記接眼レンズとが収容される筐体と、
前記筐体に設けられ、前記増加操作手段が設けられた第１側面と、
前記筐体に設けられ、前記減少操作手段が設けられた第２側面と、
をさらに備え、
前記レチクルは、前記望遠鏡の視野の中心に表示され且つ前記輝度制御手段により輝度が増減される中心点と、前記中心を通り前記視野を水平方向に分割する水平線および前記中心を通り前記視野を鉛直方向に分割する鉛直線からなる十字線とから構成され、
前記表示制御手段は、前記鉛直線をまたいで前記第１側面および前記第２側面の方向へ延びる移動領域内を移動することにより前記輝度のレベルを示す輝度マークを前記表示手段に表示させ、前記増加操作手段が操作されて前記輝度制御手段が前記輝度を増加させている間は、前記輝度マークを前記第２側面から前記第１側面に向かう方向へ移動させ、前記輝度が上限値である状態で前記増加操作手段が操作された場合には、前記輝度マークを前記移動領域の前記第１側面側の端部で静止させることで前記輝度が限界値であることを示し、前記減少操作手段が操作されて前記輝度制御手段が前記輝度を減少させている間は、前記輝度マークを前記第１側面から前記第２側面に向かう方向へ移動させ、前記輝度が下限値である状態で前記減少操作手段が操作された場合には、前記輝度マークを前記移動領域の前記第２側面側の端部で静止させることで前記輝度が限界値であることを示すことを特徴とする望遠鏡。
【発明の詳細な説明】
【技術分野】
【０００１】
本発明は、望遠鏡に関する。
【背景技術】
【０００２】
ハウジングの上面に２つのプッシュスイッチ（右側スイッチおよび左側スイッチ）が配置された照準望遠鏡が知られている（特許文献１参照）。この照準望遠鏡は、右側スイッチが押下されるとレチクル照明の輝度を上昇させ、左側スイッチが押下されるとレチクル照明の輝度を低減させる。
【先行技術文献】
【特許文献】
【０００３】
【特許文献１】独国実用新案第２０２００６０１４９２３号明細書
【発明の概要】
【発明が解決しようとする課題】
【０００４】
上記従来技術の照準望遠鏡では、レチクル照明の輝度が限界値（上限値または下限値）になっても、そのことをユーザが認識することができないために右側スイッチまたは左側スイッチを押下し続けてしまう場合があり、使い勝手が悪かった。
【課題を解決するための手段】
【０００５】
本発明による望遠鏡は、観察されるべき対象物に向けられる少なくとも１つの対物レンズと、対象物へ照準を合わせるためのレチクルが表示される表示手段と、対物レンズからの対象物の像とレチクルとを重畳して観察可能である少なくとも１つの接眼レンズと、連続して繰り返し操作可能であり、レチクルの少なくとも一部の輝度の増加を指示するための増加操作手段と、連続して繰り返し操作可能であり、上記輝度の減少を指示するための減少操作手段と、増加操作手段からの操作信号に応じて上記輝度を増加させ、減少操作手段からの操作信号に応じて上記輝度を減少させる輝度制御手段と、上記輝度が上限値である状態で増加操作手段が操作された場合、および／または、上記輝度が下限値である状態で減少操作手段が操作された場合には、上記輝度が限界値であることを示す情報を表示手段に表示させる表示制御手段と、を備えることを特徴とする。
【発明の効果】
【０００６】
本発明によれば、レチクルの輝度が限界値であることをユーザに認識させることができる。
【図面の簡単な説明】
【０００７】
【図１】本発明の一実施の形態によるライフルスコープの斜視図である。
【図２】図１のライフルスコープの内部構成を模式的に示した図である。
【図３】一実施の形態による表示画面を説明する図である。
【図４】変形例１による表示画面を説明する図である。
【図５】変形例２による表示画面を説明する図である。
【図６】変形例３による表示画面を説明する図である。
【発明を実施するための形態】
【０００８】
以下、図面を参照して、本発明による一実施の形態について説明する。なお、以下の説明において、ライフルスコープの上下、左右、前後、水平、鉛直等と表記する場合は、当該ライフルスコープがライフルに装着されて使用される状態（以下、使用状態と呼ぶ）において、観察する対象物へ向かう方向を前方向とし、ユーザへ向かう方向を後ろ方向とした場合の位置関係に基づくものとする。
【０００９】
図１は、本実施の形態によるライフルスコープ１の斜視図である。ライフルスコープ１は、円筒状の筐体２を備える。この筐体２は、対象物側（すなわち前側）となる対物側部分３、ユーザ側（すなわち後ろ側）となる接眼側部分４、および対物側部分３と接眼側部分４とを接続する中間部分５で構成される。なお、図１では、対物側部分３および接眼側部分４が、中間部分５よりも直径が大きく構成されている例について示している。しかしながら、対物側部分３と中間部分５の直径が同一に構成されていてもよい。
【００１０】
筐体２の対物側部分３内部には、観察されるべき対象物に向けられる対物レンズ６（図１に点線で模式的に示す）が設けられる。筐体２の接眼側部分４内部には、ユーザの眼に向けられる接眼レンズ７が設けられる。
【００１１】
筐体２の中間部分５の下部には、ライフルにライフルスコープ１を固定するための固定部材（不図示）が設けられる。ライフルスコープ１は、この固定部材を介してライフルに装着される。
【００１２】
筐体２の接眼側部分４の前端には、ズームリング８が設けられる。筐体２の内部にはズームレンズ１９（図２）が設けられており、ズームリング８を回転させると、ズームレンズ１９が光軸１１の方向に移動して、ライフルスコープ１の倍率が変化するように構成されている。
【００１３】
また、筐体２の接眼側部分４は、円筒部分９と、この円筒部分９から上方へ突出する凸部１０とが一体に形成された構成でなる。凸部１０は、ライフルスコープ１の光軸１１を通る水平面に略平行な面である上面１２と、光軸１１を通る鉛直面に略平行な面である右側面１３および左側面１４とを有する。右側面１３および左側面１４は、光軸１１を挟んで対向するように設けられている。凸部１０の内部には、電池を収容する電池収容部（不図示）が設けられており、凸部１０の上面１２には、電池収容部を開閉するための蓋１６が設けられる。凸部１０の右側面１３および左側面１４には、プッシュスイッチがそれぞれ一つずつ設けられる。以下、右側面１３のプッシュスイッチを右プッシュスイッチ１７と呼び、左側面１４のプッシュスイッチを左プッシュスイッチ１８と呼ぶ。なお、右プッシュスイッチ１７および左プッシュスイッチ１８は、押下された後、再び無負荷の状態となると直ちに新たに操作可能な初期状態にひとりでに戻るように構成されたスイッチであり、連続して繰り返し押下操作が可能に構成されている。
【００１４】
図２は、ライフルスコープ１の内部構成を模式的に示した図である。図２に示すように、ライフルスコープ１では、光軸１１上に、対物レンズ６、ズームレンズ１９、表示装置２０、および接眼レンズ７が設けられている。なお、図２を簡単にするため、対物レンズ６、ズームレンズ１９、および接眼レンズ７を単レンズとして図示しているが、これらは複数のレンズ群で構成されていてもよい。表示装置２０は、例えば透過式の液晶ディスプレイや有機ＥＬディスプレイ等で構成される。対物レンズ６からの入射光は、ズームレンズ１９を透過して表示装置２０で結像し、接眼レンズ７で拡大される。したがってユーザは、接眼レンズ７を介して、対物レンズ６からの観察対象物の像と表示装置２０の表示画面とを重畳して観察可能である。
【００１５】
またライフルスコープ１は、制御装置２１を備える。制御装置２１は、ＣＰＵおよびその他の周辺回路等により構成される。右プッシュスイッチ１７および左プッシュスイッチ１８は、それぞれ押下されると押下信号を制御装置２１に出力する。制御装置２１は、右プッシュスイッチ１７および左プッシュスイッチ１８からの押下信号に基づいて、表示装置２０の表示制御を行う。
【００１６】
次に、制御装置２１が実行する表示装置２０の表示制御について具体的に説明する。図３は、表示装置２０の表示画面３０を説明する図である。図３（Ａ）に示すように、表示装置２０の表示画面３０は円形でなり、表示画面３０には観察対象物へ照準を合わせるためのレチクル４０が表示される。レチクル４０は、ライフルスコープ１の視野の中心（すなわち光軸１１上）に表示される中心点と、当該中心を通り当該視野を水平方向に分割する水平線および当該中心を通り当該視野を鉛直方向に分割する鉛直線からなる十字線とから構成される。
【００１７】
レチクル４０が表示されていない状態で、右プッシュスイッチ１７および左プッシュスイッチ１８のいずれか一方が押下されると、制御装置２１は、レチクル４０をその中心点を所定の輝度にして表示装置２０に表示させる。したがって、ライフルスコープ１では、ユーザが右プッシュスイッチ１７および左プッシュスイッチ１８のどちらを押下しても、レチクル４０を表示させることができる。ゆえにユーザは、レチクル４０の表示スイッチが左右どちらであるかを考える必要がないので、素早くレチクル４０を表示させることができる。
【００１８】
レチクル４０が表示された状態で、右プッシュスイッチ１７のみが押下されると、制御装置２１は、レチクル４０の中心点の輝度を所定量増加させる。なお、右プッシュスイッチ１７のみが長押しされると、制御装置２１は、レチクル４０の中心点の輝度を長押しされた時間に応じた量増加させる。また、制御装置２１は、右プッシュスイッチ１７が押下されてレチクル４０の中心点の輝度を増加させている間、図３（Ｂ）に示すようにレチクル４０の鉛直線よりも右側に、「＋」の文字でなる増加マーク５０を点灯表示させる。これにより、ユーザにレチクル４０の中心点の輝度を増加させていることを報知することができる。なお、制御装置２１は、右プッシュスイッチ１７が押下されている間のみ増加マーク５０を表示させ、右プッシュスイッチ１７が無負荷の状態となると増加マーク５０を非表示にして、対象物の観察を妨げないようにする。
【００１９】
ライフルスコープ１を使用するとき、ユーザは手袋を装着している場合があり、手袋を装着したまま右プッシュスイッチ１７を押下しても、右プッシュスイッチ１７をきちんと押下できているかわかりにくい場合がある。ゆえに、ユーザはこの押下操作によってレチクル４０の中心点の輝度を増加できているのか、レチクル４０を観察しただけでは一見わかりにくい場合がある。しかしながら本実施形態のライフルスコープ１では、増加マーク５０を表示させることにより、ユーザは、自身の押下操作によってレチクル４０の中心点の輝度が増加していることを明確に認識することができる。また本実施形態のライフルスコープ１では、レチクル４０の鉛直線よりも右側に増加マーク５０を表示させることで、右プッシュスイッチ１７の押下操作でレチクル４０の中心点の輝度が増加していることを一段とわかりやすく報知することができる。
【００２０】
また、レチクル４０の中心点の輝度には上限値が設定されている。すなわち、レチクル４０の中心点の輝度は当該上限値までは増加可能であるが、当該上限値よりも大きくすることはできない。制御装置２１は、レチクル４０の中心点の輝度が上限値となった場合には、右プッシュスイッチ１７が押下されてもレチクル４０の中心点の輝度を増加させず、上限値のままとする。また制御装置２１は、レチクル４０の中心点の輝度が上限値の状態で右プッシュスイッチ１７が押下操作されると、その間増加マーク５０を点滅表示させる。すなわち右プッシュスイッチ１７が押下操作され続けている間に、レチクル４０の中心点の輝度が下限値となると、制御装置２１は、増加マーク５０を点灯表示から点滅表示に切り替える。これにより、ユーザにレチクル４０の中心点の輝度が上限値であることを報知することができる。
【００２１】
一方、レチクル４０が表示された状態で、左プッシュスイッチ１８のみが押下されると、制御装置２１は、レチクル４０の中心点の輝度を所定量減少させる。なお、左プッシュスイッチ１８のみが長押しされると、制御装置２１は、レチクル４０の中心点の輝度を長押しされた時間に応じた量減少させる。また、制御装置２１は、左プッシュスイッチ１８が押下されてレチクル４０の中心点の輝度を減少させている間、図３（Ｃ）に示すようにレチクル４０の鉛直線よりも左側に「−」の文字でなる減少マーク６０を点灯表示させる。これにより、ユーザは、自身の押下操作によってレチクル４０の中心点の輝度が減少していることを明確に認識することができる。また本実施形態のライフルスコープ１では、レチクル４０の鉛直線よりも左側に減少マーク６０を表示させることで、左プッシュスイッチ１８の押下操作でレチクル４０の中心点の輝度が減少していることを一段とわかりやすく報知することができる。
【００２２】
なお、制御装置２１は、左プッシュスイッチ１８が押下されている間のみ減少マーク６０を表示させ、左プッシュスイッチ１８が無負荷の状態となると減少マーク６０を非表示にして、対象物の観察を妨げないようにする。
【００２３】
また、レチクル４０の中心点の輝度には下限値が設定されている。すなわち、レチクル４０の中心点の輝度は当該下限値までは減少可能であるが、当該下限値よりも小さくすることはできない。制御装置２１は、レチクル４０の中心点の輝度が下限値となった場合には、左プッシュスイッチ１８が押下されてもレチクル４０の中心点の輝度を減少させず、下限値のままとする。また制御装置２１は、レチクル４０の中心点の輝度が下限値の状態で左プッシュスイッチ１８が押下操作されると、その間減少マーク６０を点滅表示させる。すなわち左プッシュスイッチ１８が押下操作され続けている間に、レチクル４０の中心点の輝度が下限値となると、制御装置２１は、減少マーク６０を点灯表示から点滅表示に切り替える。これにより、ユーザにレチクル４０の中心点の輝度が下限値であることを報知することができる。
【００２４】
また、レチクル４０が表示されている状態で、右プッシュスイッチ１７および左プッシュスイッチ１８が同時に押下されると、制御装置２１は、レチクル４０を非表示にする。右プッシュスイッチ１７および左プッシュスイッチ１８は、ズームリング８の近傍に設けられているため、ズームリング８を操作する際などに誤操作してしまう可能性もある。しかしながら、右プッシュスイッチ１７および左プッシュスイッチ１８は、凸部１０の右側面１３および左側面１４にそれぞれ設けられているため、意図せずに両方のスイッチが押下される可能性は非常に低い。ゆえに、ユーザが誤ってレチクル４０を非表示にしてしまう可能性は非常に低くなっている。
【００２５】
以上説明した実施形態によれば、次の作用効果が得られる。
（１）ライフルスコープ１は、観察されるべき対象物に向けられる対物レンズ６と、対象物へ照準を合わせるためのレチクル４０が表示される表示装置２０と、対物レンズ６からの対象物の像とレチクル４０とを重畳して観察可能である接眼レンズ７と、連続して繰り返し操作可能であり、レチクル４０の中心点の輝度の増加を指示するための右プッシュスイッチ１７と、連続して繰り返し操作可能であり、レチクル４０の中心点の輝度の減少を指示するための左プッシュスイッチ１８と、右プッシュスイッチ１７からの操作信号に応じてレチクル４０の中心点の輝度を増加させ、左プッシュスイッチ１８からの操作信号に応じてレチクル４０の中心点の輝度を減少させる制御装置２１と、レチクル４０の中心点の輝度が上限値である状態で右プッシュスイッチ１７が操作された場合、および、レチクル４０の中心点の輝度が下限値である状態で左プッシュスイッチ１８が操作された場合には、レチクル４０の中心点の輝度が限界値であることを示す情報（増加マーク５０または減少マーク６０の点滅表示）を表示装置２０に表示させる制御装置２１と、を備える。これにより、レチクル４０の中心点の輝度が限界値となった場合に、レチクル４０の中心点の輝度が限界値であることをユーザに認識させることができる。
【００２６】
（２）上記（１）のライフルスコープ１において、制御装置２１は、右プッシュスイッチ１７が操作されてレチクル４０の中心点の輝度を増加させている間は、レチクル４０の中心点の輝度を増加させていることを示す情報（増加マーク５０）を表示装置２０に表示させ、左プッシュスイッチ１８が操作されてレチクル４０の中心点の輝度を減少させている間は、レチクル４０の中心点の輝度を減少させていることを示す情報（減少マーク６０）を表示装置２０に表示させるように構成したので、レチクル４０の中心点の輝度の増減をユーザに明確に認識させることができる。
【００２７】
（３）上記（２）のライフルスコープ１において、対物レンズ６と表示装置２０と接眼レンズ７とが収容される筐体２と、筐体２に設けられ、右プッシュスイッチ１７が設けられた右側面１３と、筐体２に設けられ、左プッシュスイッチ１８が設けられた左側面１４と、をさらに備え、レチクル４０は、ライフルスコープ１の視野の中心に表示され且つ輝度が増減される中心点と、当該中心を通り当該視野を水平方向に分割する水平線および当該中心を通り当該視野を鉛直方向に分割する鉛直線からなる十字線とから構成され、制御装置２１は、右プッシュスイッチ１７が操作されてレチクル４０の中心点の輝度を増加させている間は、増加マーク５０をレチクル４０の鉛直線よりも右側面１３側に表示させ、当該輝度が上限値である状態で右プッシュスイッチ１７が操作された場合には増加マーク５０の表示態様を変更する（点灯表示状態から点滅表示状態へ切り替える）ことで当該輝度が限界値であることを示し、左プッシュスイッチ１８が操作されてレチクル４０の中心点の輝度を減少させている間は、減少マーク６０をレチクル４０の鉛直線よりも左側面１４側に表示させ、当該輝度が下限値である状態で左プッシュスイッチ１８が操作された場合には減少マーク６０の表示態様を変更する（点灯表示状態から点滅表示状態へ切り替える）ことで当該輝度が限界値であることを示すように構成した。このように右プッシュスイッチ１７の位置と増加マーク５０の表示位置とが対応していることで、右プッシュスイッチ１７の押下操作でレチクル４０の中心点の輝度が増加していることを、ユーザに明確に認識させることができる。また同様に、左プッシュスイッチ１８の位置と減少マーク６０の表示位置とが対応していることで、左プッシュスイッチ１８の押下操作でレチクル４０の中心点の輝度が減少していることを、ユーザに明確に認識させることができる。
【００２８】
（変形例１）
図４に示すように、レチクル４０の中心点の輝度レベルを示す輝線７０を表示装置２０の表示画面３０に表示させるようにしてもよい。この輝線７０は鉛直線であり、例えばレチクル４０の中心点および水平線よりも上方に表示される。また制御装置２１は、輝線７０と共に、輝線７０が移動する移動領域７１を示す枠を表示画面３０に表示させる。この移動領域７１は、レチクル４０の鉛直線をまたいで左右方向に延びる矩形状の領域となっており、移動領域７１の右側端部がレチクル４０の中心点の輝度の上限値（ＭＡＸ）に対応し、移動領域７１の左側端部がレチクル４０の中心点の輝度の下限値（ＭＩＮ）に対応する。
【００２９】
レチクル４０が表示された状態で、右プッシュスイッチ１７のみが押下されると、制御装置２１は、レチクル４０の中心点の輝度を増加させると共に輝線７０を表示装置２０に表示させ、当該輝度の増加に応じて輝線７０を移動領域７１内で右方向に移動させる。これにより、ユーザにレチクル４０の中心点の輝度を増加させていることを報知することができる。また輝線７０を右方向に移動させることで、右プッシュスイッチ１７の押下操作でレチクル４０の中心点の輝度が増加していることを一段とわかりやすく報知することができる。
【００３０】
また、レチクル４０の中心点の輝度が上限値の状態で右プッシュスイッチ１７が押下操作された場合、制御装置２１は、輝線７０を表示させるが、レチクル４０の中心点の輝度を変化させないので、輝線７０を移動領域７１の右側端部に静止させたままとする。すなわち右プッシュスイッチ１７が押下操作され続けている間に、レチクル４０の中心点の輝度が上限値となると、制御装置２１は、輝線７０の右方向の移動を静止する。これにより、ユーザにレチクル４０の中心点の輝度が上限値であることを報知することができる。
【００３１】
一方、レチクル４０が表示された状態で、左プッシュスイッチ１８のみが押下されると、制御装置２１は、レチクル４０の中心点の輝度を減少させると共に輝線７０を表示装置２０に表示させ、当該輝度の減少に応じて輝線７０を移動領域７１内で左方向に移動させる。これにより、ユーザにレチクル４０の中心点の輝度を減少させていることを報知することができる。また輝線７０を左方向に移動させることで、左プッシュスイッチ１８の押下操作でレチクル４０の中心点の輝度が減少していることを一段とわかりやすく報知することができる。
【００３２】
また、レチクル４０の中心点の輝度が下限値の状態で左プッシュスイッチ１８が押下操作された場合、制御装置２１は、輝線７０を表示させるが、レチクル４０の中心点の輝度を変化させないので、輝線７０を移動領域７１の左側端部に静止させたままとする。すなわち左プッシュスイッチ１８が押下操作され続けている間に、レチクル４０の中心点の輝度が下限値となると、制御装置２１は、輝線７０の左方向の移動を静止する。これにより、ユーザにレチクル４０の中心点の輝度が下限値であることを報知することができる。
【００３３】
なお、制御装置２１は、右プッシュスイッチ１７または左プッシュスイッチ１８が押下されている間のみ輝線７０を表示させ、右プッシュスイッチ１７および左プッシュスイッチ１８が無負荷の状態となると輝線７０を非表示にして、対象物の観察を妨げないようにする。
【００３４】
（変形例２）
図５に示すように、レチクル４０の中心点の輝度レベルを示す輝度インジケータ８０を表示装置２０に表示させるようにしてもよい。輝度インジケータ８０は、複数の矩形がレチクル４０の鉛直線をまたいで左右方向に並んだ構成でなり、輝度インジケータ８０の右側端部がレチクル４０の中心点の輝度の上限値（ＭＡＸ）に対応し、輝度インジケータ８０の左側端部がレチクル４０の中心点の輝度の下限値（ＭＩＮ）に対応する。
【００３５】
レチクル４０が表示された状態で、右プッシュスイッチ１７のみが押下されると、制御装置２１は、レチクル４０の中心点の輝度を増加させると共に輝度インジケータ８０を表示装置２０に表示させ、当該輝度の増加に応じて輝度インジケータ８０の矩形を左から右へ向かって順に塗りつぶしていく。換言すると、制御装置２１は、当該輝度の増加に応じて、輝度インジケータ８０の塗りつぶし領域を、左側端部を移動させずに右側端部を右方向に移動させていくことで、塗りつぶし領域を右方向に広げていく。したがって、塗りつぶし領域の右側端部の位置がレチクル４０の中心点の輝度レベルを示す。このような表示により、ライフルスコープ１は、ユーザにレチクル４０の中心点の輝度を増加させていることを報知することができる。また、輝度インジケータ８０の矩形を左から右へ向かって順に塗りつぶしていくことで、右プッシュスイッチ１７の押下操作でレチクル４０の中心点の輝度が増加していることを一段とわかりやすく報知することができる。
【００３６】
また、レチクル４０の中心点の輝度が上限値の状態で右プッシュスイッチ１７が押下操作された場合、制御装置２１は、輝度インジケータ８０を表示させるが、レチクル４０の中心点の輝度を変化させないので、輝度インジケータ８０の矩形を全て塗りつぶされた状態から変化させない。すなわち、右プッシュスイッチ１７が押下操作され続けている間に、レチクル４０の中心点の輝度が上限値となると、制御装置２１は、輝度インジケータ８０の塗りつぶし領域の右側端部の移動を輝度インジケータ８０の右側端部で静止させる。このような表示により、ライフルスコープ１は、ユーザにレチクル４０の中心点の輝度が上限値であることを報知することができる。
【００３７】
一方、レチクル４０が表示された状態で、左プッシュスイッチ１８のみが押下されると、制御装置２１は、レチクル４０の中心点の輝度を減少させると共に輝度インジケータ８０を表示装置２０に表示させ、当該輝度の減少に応じて輝度インジケータ８０の塗りつぶされている矩形を右から左へ向かって順に空白にしていく。換言すると、制御装置２１は、当該輝度の減少に応じて、輝度インジケータ８０の塗りつぶし領域を、左側端部を移動させずに右側端部を左方向に移動させていくことで、塗りつぶし領域を左方向に狭めていく。このような表示により、ライフルスコープ１は、ユーザにレチクル４０の中心点の輝度を減少させていることを報知することができる。また輝度インジケータ８０の塗りつぶされている矩形を右から左へ向かって順に空白にしていくことで、左プッシュスイッチ１８の押下操作でレチクル４０の中心点の輝度が減少していることを一段とわかりやすく報知することができる。
【００３８】
また、レチクル４０の中心点の輝度が下限値の状態で左プッシュスイッチ１８が押下操作された場合、制御装置２１は、輝度インジケータ８０を表示させるが、レチクル４０の中心点の輝度を変化させないので、輝度インジケータ８０を矩形が全て空白となった（塗りつぶされていない）状態から変化させない。すなわち、左プッシュスイッチ１８が押下操作され続けている間に、レチクル４０の中心点の輝度が下限値となると、制御装置２１は、輝度インジケータ８０の塗りつぶし領域の右側端部の移動を輝度インジケータ８０の左側端部で静止させることで、塗りつぶし領域を非表示とする。これにより、ユーザにレチクル４０の中心点の輝度が下限値であることを報知することができる。
【００３９】
なお、制御装置２１は、右プッシュスイッチ１７または左プッシュスイッチ１８が押下されている間のみ輝度インジケータ８０を表示させ、右プッシュスイッチ１７および左プッシュスイッチ１８が無負荷の状態となると輝度インジケータ８０を非表示にして、対象物の観察を妨げないようにする。
【００４０】
（変形例３）
図６に示すように、レチクル４０の中心点の輝度レベルを示す輝度カウンタ９０を表示装置２０に表示させるようにしてもよい。輝度カウンタ９０は、例えばレチクル４０の中心点および水平線よりも上方に表示される。輝度カウンタ９０には、レチクル４０の中心点の輝度レベルが、所定の輝度値を基準値「０」として「−５０」〜「＋５０」の数値で表示される。
【００４１】
レチクル４０が表示された状態で、右プッシュスイッチ１７のみが押下されると、制御装置２１は、レチクル４０の中心点の輝度を増加させると共に輝度カウンタ９０を表示させ、当該輝度の増加に応じて輝度カウンタ９０の数値を上げていく。これにより、ユーザにレチクル４０の中心点の輝度を増加させていることを報知することができる。またレチクル４０の中心点の輝度が上限値の状態で右プッシュスイッチ１７が押下操作された場合、制御装置２１は、輝度カウンタ９０を表示させるが、レチクル４０の中心点の輝度を変化させないので、輝度カウンタ９０の数値も変化させない。すなわち右プッシュスイッチ１７が押下操作され続けている間に、レチクル４０の中心点の輝度が上限値となると、制御装置２１は、輝度カウンタ９０の数値アップを静止する。これにより、ユーザにレチクル４０の中心点の輝度が上限値であることを報知することができる。
【００４２】
一方、レチクル４０が表示された状態で、左プッシュスイッチ１８のみが押下されると、制御装置２１は、レチクル４０の中心点の輝度を減少させると共に輝度カウンタ９０を表示させ、当該輝度の減少に応じて輝度カウンタ９０の数値を下げていく。これにより、ユーザにレチクル４０の中心点の輝度を減少させていることを報知することができる。またレチクル４０の中心点の輝度が下限値の状態で左プッシュスイッチ１８が押下操作された場合、制御装置２１は、輝度カウンタ９０を表示させるが、レチクル４０の中心点の輝度を変化させないので、輝度カウンタ９０の数値も変化させない。すなわち左プッシュスイッチ１８が押下操作され続けている間に、レチクル４０の中心点の輝度が下限値となると、制御装置２１は、輝度カウンタ９０の数値ダウンを静止する。これにより、ユーザにレチクル４０の中心点の輝度が下限値であることを報知することができる。
【００４３】
（変形例４）
ライフルスコープ１において、レチクル４０の中心点の輝度が限界値（上限値または下限値）であることを、音によって報知するようにしてもよい。この場合のライフルスコープ１には、スピーカ等の放音手段が設けられる。制御装置２１は、レチクル４０の中心点の輝度が限界値になった状態で右プッシュスイッチ１７または左プッシュスイッチ１８が操作されると、所定の音声信号(例えば警告音等)をスピーカに出力する。この結果、スピーカから所定の音声が放音され、ユーザにレチクル４０の中心点の輝度が限界値であることを認識させることができる。
【００４４】
（変形例５）
ライフルスコープ１において、レチクル４０の中心点の輝度が限界値（上限値または下限値）であることを、振動によって報知するようにしてもよい。この場合のライフルスコープ１には、バイブレータ等の振動手段が設けられる。制御装置２１は、レチクル４０の中心点の輝度が限界値になった状態で右プッシュスイッチ１７または左プッシュスイッチ１８が操作されると、バイブレータを振動させる。これにより、ユーザにレチクル４０の中心点の輝度が限界値であることを認識させることができる。
【００４５】
（変形例６）
上述した実施の形態では、増加マーク５０または減少マーク６０を点灯表示から点滅表示へ切り替えることにより、レチクル４０の中心点の輝度が限界値となったことを報知する例について説明した。しかしながら、制御装置２１は、レチクル４０の中心点の輝度を増加または減少させている間は増加マーク５０または減少マーク６０を点滅表示させ、レチクル４０の中心点の輝度が限界値となると点滅表示から点灯表示へ切り替えることにより、レチクル４０の中心点の輝度が限界値となったことを報知するようにしてもよい。また制御装置２１は、増加マーク５０または減少マーク６０におけるこの他の表示態様の変更によって、レチクル４０の中心点の輝度が限界値となったことを報知するようにしてもよい。例えば、増加マーク５０または減少マーク６０の色を変更することによってレチクル４０の中心点の輝度が限界値となったことを報知するようにしてもよい。
【００４６】
（変形例７）
上述した実施の形態では、レチクル４０の中心点の輝度が上限値になったときおよび下限値になったときに、その旨を報知する例について説明した。しかしながら、レチクル４０の中心点の輝度が上限値になったときのみに報知するようにしてもよいし、レチクル４０の中心点の輝度が下限値になったときのみに報知するようにしてもよい。
【００４７】
（変形例８）
上述した実施の形態では、レチクル４０の中心点の輝度のみを増減させる例について説明したが、レチクル４０全体（すなわち中心点の他に十字線も含めて）の輝度を増減させるようにしてもよい。
【００４８】
（変形例９）
上述した実施の形態では、レチクル４０の中心点の輝度の増減を指示する操作手段として、右プッシュスイッチ１７および左プッシュスイッチ１８を設ける例について説明した。しかしながら、レチクル４０の中心点の輝度の増減を指示する操作手段として、ロータリースイッチやレバースイッチなど他の操作手段を設けるようにしてもよい。
【００４９】
（変形例１０）
上述した実施の形態では、右プッシュスイッチ１７が押下されるとレチクル４０の中心点の輝度を増加させ、左プッシュスイッチ１８が押下されるとレチクル４０の中心点の輝度を減少させる例について説明したが、これらのスイッチの機能を入れ替えてもよい。
【００５０】
（変形例１１）
上述した実施の形態では、ライフルスコープに本発明を適用する例について説明したが、これに限らず、種々の望遠鏡に本発明を適用するようにしてもよい。
【００５１】
以上の説明はあくまで一例であり、上記の実施形態の構成に何ら限定されるものではない。また、上記実施形態に各変形例の構成を適宜組み合わせてもかまわない。
【符号の説明】
【００５２】
１…ライフルスコープ、２…筐体、６…対物レンズ、７…接眼レンズ、１３…右側面、１４…左側面、１７…右プッシュスイッチ、１８…左プッシュスイッチ、２０…表示装置、２１…制御装置
【図１】
2013250415.tif 000003
【図２】
2013250415.tif 000004
【図３】
2013250415.tif 000005
【図４】
2013250415.tif 000006
【図５】
2013250415.tif 000007
【図６】
2013250415.tif 000008